【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
読取対象物を識別するための読取対象物識別情報と、当該読取対象物を所有するユーザのユーザ識別情報とを対応付けて記憶するユーザ情報記憶手段を備える認証サーバと、前記読取対象物を読み取る読取手段を備える装置と、情報処理装置とが通信可能に接続される情報処理システムであって、
前記読取手段を備える装置は、
前記読取手段によって読み取られた読取対象物の読取対象物識別情報を前記認証サーバへ送信する読取対象物識別情報送信手段と、
前記読取対象物識別情報送信手段によって前記読取対象物識別情報を送信することで、当該読取対象物識別情報を前記ユーザ情報記憶手段に登録するためのキー情報を前記認証サーバから受信するキー情報受信手段と、
前記キー情報受信手段によって受信したキー情報を出力するキー情報出力手段と
を備え、
前記認証サーバは、
前記読取対象物識別情報送信手段によって送信された読取対象物識別情報を受信する読取対象物識別情報受信手段と、
前記読取対象物識別情報受信手段によって受信した読取対象物識別情報が、前記ユーザ情報記憶手段に登録されているか否かを判定する登録判定手段と、
前記登録判定手段によって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信手段と、
前記情報処理装置から入力された前記キー情報と、前記読取対象物を所有するユーザのユーザ識別情報とを取得する情報取得手段と、
前記情報取得手段によって取得されたキー情報に対応する読取対象物識別情報と、前記情報取得手段によって取得されたユーザ識別情報とを対応付けて前記ユーザ情報記憶手段に登録する登録手段と
を備えることを特徴とする情報処理システム。
【請求項２】
前記キー情報送信手段は、前記登録判定手段によって前記ユーザ情報記憶手段に前記読取対象物識別情報が登録されていると判定された場合に、前記読取対象物識別情報を前記ユーザ情報記憶手段から削除するための当該読取対象物識別情報に対応する削除キー情報を、前記読取手段を備える装置に送信し、
前記情報取得手段は、前記情報処理装置から入力された前記削除キー情報を取得し、
前記認証サーバは、
前記情報取得手段によって取得された削除キー情報に対応する読取対象物識別情報を前記ユーザ情報記憶手段から削除する削除手段
を更に備えることを特徴とする請求項１に記載の情報処理システム。
【請求項３】
前記削除手段は、前記読取対象物が前記読取手段に所定時間かざされた場合に、前記情報取得手段によって取得された削除キー情報に対応する読取対象物識別情報をユーザ情報記憶手段から削除することを特徴とする請求項２に記載の情報処理システム。
【請求項４】
前記認証サーバは、
前記情報取得手段によって取得されたキー情報が所定の有効期間内であるか否かを判定する有効期間判定手段と
を更に備え、
前記登録手段は、前記有効期間判定手段で、前記情報取得手段によって取得されたキー情報が所定の有効期間内であると判定される場合に、前記情報取得手段によって取得されたキー情報に対応する読取対象物識別情報と、前記情報取得手段によって取得されたユーザ識別情報とを対応付けて前記ユーザ情報記憶手段に登録することを特徴とする請求項１乃至３のいずれか１項に記載の情報処理システム。
【請求項５】
前記認証サーバは、
前記有効期間判定手段で、前記情報取得手段によって取得されたキー情報が所定の有効期間内であると判定される場合に、登録成功を示す登録成功結果情報を送信し、前記情報取得手段によって取得されたキー情報が所定の有効期間内でないと判定される場合に、登録失敗を示す登録失敗結果情報を送信する登録結果情報送信手段と
を更に備えることを特徴とする請求項４に記載の情報処理システム。
【請求項６】
前記有効期間判定手段は、更に前記情報取得手段によって取得された削除キー情報が所定の有効期間内であるか否かを判定し、
前記削除手段は、前記有効期間判定手段で、前記情報取得手段によって取得された削除キー情報が所定の有効期間内であると判定される場合に、前記情報取得手段によって取得された削除キー情報に対応する読取対象物識別情報を前記ユーザ情報記憶手段から削除することを特徴とする請求項２または３のいずれか１項に記載の情報処理システム。
【請求項７】
前記認証サーバは、
前記有効期間判定手段で、前記情報取得手段によって取得された削除キー情報が所定の有効期間内であると判定される場合に、削除成功を示す削除成功結果情報を送信し、前記情報取得手段によって取得された削除キー情報が所定の有効期間内でないと判定される場合に、削除失敗を示す削除失敗結果情報を送信する削除結果情報送信手段と
を更に備えることを特徴とする請求項６に記載の情報処理システム。
【請求項８】
前記認証サーバは、
前記登録判定手段によって前記ユーザ情報記憶手段に前記読取対象物識別情報が登録されていないと判定された場合に、前記読取対象物識別情報を登録する登録モードか否かを判定するモード判定手段と
を更に備え、
前記登録手段は、前記モード判定手段で登録モードであると判定される場合に、前記情報取得手段によって取得されたキー情報に対応する読取対象物識別情報と、前記情報取得手段によって取得されたユーザ識別情報とを対応付けて前記ユーザ情報記憶手段に登録することを特徴とする請求項１乃至７のいずれか１項に記載の情報処理システム。
【請求項９】
前記キー情報出力手段は、前記読取手段を備える装置の表示手段に前記キー情報を表示させるか、前記読取手段を備える装置の印刷手段によって前記キー情報を印刷することを特徴とする請求項１乃至８のいずれか１項に記載の情報処理システム。
【請求項１０】
前記情報処理装置は、
前記キー情報出力手段によって出力されたキー情報と、前記読取対象物を所有するユーザのユーザ識別情報の入力を受け付ける入力受付手段と、
前記入力受付手段によって入力を受け付けたキー情報とユーザ識別情報とを前記認証サーバに送信する情報送信手段と
を備えることを特徴とする請求項１乃至９のいずれか１項に記載の情報処理システム。
【請求項１１】
読取対象物を読み取る読取手段を備える装置と、情報処理装置と通信可能に接続され、前記読取対象物を識別するための読取対象物識別情報と、当該読取対象物を所有するユーザのユーザ識別情報とを対応付けて記憶するユーザ情報記憶手段を備える認証サーバであって、
前記読取手段を備える装置から送信された読取対象物識別情報を受信する読取対象物識別情報受信手段と、
前記読取対象物識別情報受信手段によって受信した読取対象物識別情報が、前記ユーザ情報記憶手段に登録されているか否かを判定する登録判定手段と、
前記登録判定手段によって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信手段と、
前記情報処理装置から入力された前記キー情報と、前記読取対象物を所有するユーザのユーザ識別情報とを取得する情報取得手段と、
前記情報取得手段によって取得されたキー情報に対応する読取対象物識別情報と、前記情報取得手段によって取得されたユーザ識別情報とを対応付けて前記ユーザ情報記憶手段に登録する登録手段と
を備えることを特徴とする認証サーバ。
【請求項１２】
読取対象物を識別するための読取対象物識別情報と、当該読取対象物を所有するユーザのユーザ識別情報とを対応付けて記憶するユーザ情報記憶手段を備える認証サーバと、前記読取対象物を読み取る読取手段を備える装置と、情報処理装置とが通信可能に接続される情報処理システムにおける処理方法であって、
前記読取手段を備える装置の読取対象物識別情報送信手段が、前記読取手段によって読み取られた読取対象物の読取対象物識別情報を前記認証サーバへ送信する読取対象物識別情報送信ステップと、
前記読取手段を備える装置のキー情報受信手段が、前記読取対象物識別情報送信ステップによって前記読取対象物識別情報を送信することで、当該読取対象物識別情報を前記ユーザ情報記憶手段に登録するためのキー情報を前記認証サーバから受信するキー情報受信ステップと、
前記読取手段を備える装置のキー情報出力手段が、前記キー情報受信ステップによって受信したキー情報を出力するキー情報出力ステップと、
前記認証サーバの読取対象物識別情報受信手段が、前記読取対象物識別情報送信ステップによって送信された読取対象物識別情報を受信する読取対象物識別情報受信ステップと、
前記認証サーバの登録判定手段が、前記読取対象物識別情報受信ステップによって受信した読取対象物識別情報が、前記ユーザ情報記憶手段に登録されているか否かを判定する登録判定ステップと、
前記認証サーバのキー情報送信手段が、前記登録判定ステップによって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信ステップと、
前記認証サーバの情報取得手段が、前記情報処理装置から入力された前記キー情報と、前記読取対象物を所有するユーザのユーザ識別情報とを取得する情報取得ステップと、
前記認証サーバの登録手段が、前記情報取得ステップによって取得されたキー情報に対応する読取対象物識別情報と、前記情報取得ステップによって取得されたユーザ識別情報とを対応付けて前記ユーザ情報記憶手段に登録する登録ステップと
を備えることを特徴とする情報処理システムの処理方法。
【請求項１３】
読取対象物を読み取る読取手段を備える装置と、情報処理装置と通信可能に接続され、前記読取対象物を識別するための読取対象物識別情報と、当該読取対象物を所有するユーザのユーザ識別情報とを対応付けて記憶するユーザ情報記憶手段を備える認証サーバの処理方法であって、
前記認証サーバの読取対象物識別情報受信手段が、前記読取手段を備える装置から送信された読取対象物識別情報を受信する読取対象物識別情報受信ステップと、
前記認証サーバの登録判定手段が、前記読取対象物識別情報受信ステップによって受信した読取対象物識別情報が、前記ユーザ情報記憶手段に登録されているか否かを判定する登録判定ステップと、
前記認証サーバのキー情報送信手段が、前記登録判定ステップによって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信ステップと、
前記認証サーバの情報取得手段が、前記情報処理装置から入力された前記キー情報と、前記読取対象物を所有するユーザのユーザ識別情報とを取得する情報取得ステップと、
前記認証サーバの登録手段が、前記情報取得ステップによって取得されたキー情報に対応する読取対象物識別情報と、前記情報取得ステップによって取得されたユーザ識別情報とを対応付けて前記ユーザ情報記憶手段に登録する登録ステップと
を備えることを特徴とする認証サーバの処理方法。
【請求項１４】
読取対象物を識別するための読取対象物識別情報と、当該読取対象物を所有するユーザのユーザ識別情報とを対応付けて記憶するユーザ情報記憶手段を備える認証サーバと、前記読取対象物を読み取る読取手段を備える装置と、情報処理装置とが通信可能に接続される情報処理システムで実行可能なプログラムであって、
前記読取手段を備える装置を、
前記読取手段によって読み取られた読取対象物の読取対象物識別情報を前記認証サーバへ送信する読取対象物識別情報送信手段と、
前記読取対象物識別情報送信手段によって前記読取対象物識別情報を送信することで、当該読取対象物識別情報を前記ユーザ情報記憶手段に登録するためのキー情報を前記認証サーバから受信するキー情報受信手段と、
前記キー情報受信手段によって受信したキー情報を出力するキー情報出力手段
として機能させ、
前記認証サーバを、
前記読取対象物識別情報送信手段によって送信された読取対象物識別情報を受信する読取対象物識別情報受信手段と、
前記読取対象物識別情報受信手段によって受信した読取対象物識別情報が、前記ユーザ情報記憶手段に登録されているか否かを判定する登録判定手段と、
前記登録判定手段によって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信手段と、
前記情報処理装置から入力された前記キー情報と、前記読取対象物を所有するユーザのユーザ識別情報とを取得する情報取得手段と、
前記情報取得手段によって取得されたキー情報に対応する読取対象物識別情報と、前記情報取得手段によって取得されたユーザ識別情報とを対応付けて前記ユーザ情報記憶手段に登録する登録手段
として機能させることを特徴とするプログラム。
【請求項１５】
読取対象物を読み取る読取手段を備える装置と、情報処理装置と通信可能に接続され、前記読取対象物を識別するための読取対象物識別情報と、当該読取対象物を所有するユーザのユーザ識別情報とを対応付けて記憶するユーザ情報記憶手段を備える認証サーバで実行可能なプログラムであって、
前記認証サーバを、
前記読取手段を備える装置から送信された読取対象物識別情報を受信する読取対象物識別情報受信手段と、
前記読取対象物識別情報受信手段によって受信した読取対象物識別情報が、前記ユーザ情報記憶手段に登録されているか否かを判定する登録判定手段と、
前記登録判定手段によって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信手段と、
前記情報処理装置から入力された前記キー情報と、前記読取対象物を所有するユーザのユーザ識別情報とを取得する情報取得手段と、
前記情報取得手段によって取得されたキー情報に対応する読取対象物識別情報と、前記情報取得手段によって取得されたユーザ識別情報とを対応付けて前記ユーザ情報記憶手段に登録する登録手段
として機能させることを特徴とするプログラム。
【手続補正２】
【補正対象書類名】明細書
【補正対象項目名】０００１
【補正方法】変更
【補正の内容】
【０００１】
本発明は、ユーザ情報の入力が困難であり読取対象物から認証情報を読み取る機能を備える装置を用いて、認証サーバにおいて新規の読取対象物の識別情報を容易に登録可能とする情報処理システムと認証サーバ、その処理方法およびプログラムに関する。
【手続補正３】
【補正対象書類名】明細書
【補正対象項目名】００１２
【補正方法】変更
【補正の内容】
【００１２】
そこで、本発明の目的は、新規の読取対象物に記憶されている認証情報を認証サーバに登録する場合に、ユーザ情報の入力が困難であり読取対象物から認証情報を読み取る機能を備える装置を用いて、認証サーバにおいて新規の認証情報（例えば、ＩＣカードなどのカード番号）とユーザ情報（例えば、ユーザ名）とを対応付けて登録させることで管理者の負担を軽減することができる仕組みを提供する。
【手続補正４】
【補正対象書類名】明細書
【補正対象項目名】００１３
【補正方法】変更
【補正の内容】
【００１３】
前述した目的を達成するために、読取対象物を識別するための読取対象物識別情報と、当該読取対象物を所有するユーザのユーザ識別情報とを対応付けて記憶するユーザ情報記憶手段を備える認証サーバと、前記読取対象物を読み取る読取手段を備える装置と、情報処理装置とが通信可能に接続される情報処理システムであって、前記読取手段を備える装置は、前記読取手段によって読み取られた読取対象物の読取対象物識別情報を前記認証サーバへ送信する読取対象物識別情報送信手段と、前記読取対象物識別情報送信手段によって前記読取対象物識別情報を送信することで、当該読取対象物識別情報を前記ユーザ情報記憶手段に登録するためのキー情報を前記認証サーバから受信するキー情報受信手段と、前記キー情報受信手段によって受信したキー情報を出力するキー情報出力手段とを備え、前記認証サーバは、前記読取対象物識別情報送信手段によって送信された読取対象物識別情報を受信する読取対象物識別情報受信手段と、前記読取対象物識別情報受信手段によって受信した読取対象物識別情報が、前記ユーザ情報記憶手段に登録されているか否かを判定する登録判定手段と、前記登録判定手段によって前記ユーザ情報記憶手段に前記読取対象物識別情報が登録されていないと判定された場合に、前記読取対象物識別情報を前記ユーザ情報記憶手段に登録するための当該読取対象物識別情報に対応するキー情報を、前記読取手段を備える装置に送信するキー情報送信手段と、前記情報処理装置から入力された前記キー情報と、前記読取対象物を所有するユーザのユーザ識別情報とを取得する情報取得手段と、前記情報取得手段によって取得されたキー情報に対応する読取対象物識別情報と、前記情報取得手段によって取得されたユーザ識別情報とを対応付けて前記ユーザ情報記憶手段に登録する登録手段とを備えることを特徴とする。
【手続補正５】
【補正対象書類名】明細書
【補正対象項目名】００１４
【補正方法】変更
【補正の内容】
【００１４】
また、前記キー情報送信手段は、前記登録判定手段によって前記ユーザ情報記憶手段に前記読取対象物識別情報が登録されていると判定された場合に、前記読取対象物識別情報を前記ユーザ情報記憶手段から削除するための当該読取対象物識別情報に対応する削除キー情報を、前記読取手段を備える装置に送信し、前記情報取得手段は、前記情報処理装置から入力された前記削除キー情報を取得し、前記認証サーバは、前記情報取得手段によって取得された削除キー情報に対応する読取対象物識別情報を前記ユーザ情報記憶手段から削除する削除手段を更に備えることを特徴とする。
【手続補正６】
【補正対象書類名】明細書
【補正対象項目名】００１５
【補正方法】変更
【補正の内容】
【００１５】
また、前記削除手段は、前記読取対象物が前記読取手段に所定時間かざされた場合に、前記情報取得手段によって取得された削除キー情報に対応する読取対象物識別情報をユーザ情報記憶手段から削除することを特徴とする。
【手続補正７】
【補正対象書類名】明細書
【補正対象項目名】００１６
【補正方法】変更
【補正の内容】
【００１６】
また、前記認証サーバは、前記情報取得手段によって取得されたキー情報が所定の有効期間内であるか否かを判定する有効期間判定手段とを更に備え、前記登録手段は、前記有効期間判定手段で、前記情報取得手段によって取得されたキー情報が所定の有効期間内であると判定される場合に、前記情報取得手段によって取得されたキー情報に対応する読取対象物識別情報と、前記情報取得手段によって取得されたユーザ識別情報とを対応付けて前記ユーザ情報記憶手段に登録することを特徴とする。
【手続補正８】
【補正対象書類名】明細書
【補正対象項目名】００１７
【補正方法】変更
【補正の内容】
【００１７】
また、前記認証サーバは、前記有効期間判定手段で、前記情報取得手段によって取得されたキー情報が所定の有効期間内であると判定される場合に、登録成功を示す登録成功結果情報を送信し、前記情報取得手段によって取得されたキー情報が所定の有効期間内でないと判定される場合に、登録失敗を示す登録失敗結果情報を送信する登録結果情報送信手段とを更に備えることを特徴とする。
【手続補正９】
【補正対象書類名】明細書
【補正対象項目名】００１８
【補正方法】変更
【補正の内容】
【００１８】
また、前記有効期間判定手段は、更に前記情報取得手段によって取得された削除キー情報が所定の有効期間内であるか否かを判定し、前記削除手段は、前記有効期間判定手段で、前記情報取得手段によって取得された削除キー情報が所定の有効期間内であると判定される場合に、前記情報取得手段によって取得された削除キー情報に対応する読取対象物識別情報を前記ユーザ情報記憶手段から削除することを特徴とする。
【手続補正１０】
【補正対象書類名】明細書
【補正対象項目名】００１９
【補正方法】変更
【補正の内容】
【００１９】
また、前記認証サーバは、前記有効期間判定手段で、前記情報取得手段によって取得された削除キー情報が所定の有効期間内であると判定される場合に、削除成功を示す削除成功結果情報を送信し、前記情報取得手段によって取得された削除キー情報が所定の有効期間内でないと判定される場合に、削除失敗を示す削除失敗結果情報を送信する削除結果情報送信手段とを更に備えることを特徴とする。
【手続補正１１】
【補正対象書類名】明細書
【補正対象項目名】００２０
【補正方法】変更
【補正の内容】
【００２０】
また、前記認証サーバは、前記登録判定手段によって前記ユーザ情報記憶手段に前記読取対象物識別情報が登録されていないと判定された場合に、前記読取対象物識別情報を登録する登録モードか否かを判定するモード判定手段とを更に備え、前記登録手段は、前記モード判定手段で登録モードであると判定される場合に、前記情報取得手段によって取得されたキー情報に対応する読取対象物識別情報と、前記情報取得手段によって取得されたユーザ識別情報とを対応付けて前記ユーザ情報記憶手段に登録することを特徴とする。
【手続補正１２】
【補正対象書類名】明細書
【補正対象項目名】００２１
【補正方法】変更
【補正の内容】
【００２１】
また、前記キー情報出力手段は、前記読取手段を備える装置の表示手段に前記キー情報を表示させるか、前記読取手段を備える装置の印刷手段によって前記キー情報を印刷することを特徴とする。また、前記情報処理装置は、前記キー情報出力手段によって出力されたキー情報と、前記読取対象物を所有するユーザのユーザ識別情報の入力を受け付ける入力受付手段と、前記入力受付手段によって入力を受け付けたキー情報とユーザ識別情報とを前記認証サーバに送信する情報送信手段とを備えることを特徴とする。

【手続補正１３】
【補正対象書類名】明細書
【補正対象項目名】００２２
【補正方法】変更
【補正の内容】
【００２２】
新規の読取対象物に記憶されている認証情報を認証サーバに登録する場合に、ユーザ情報の入力が困難であり読取対象物から認証情報を読み取る機能を備える装置を用いて、認証サーバにおいて新規の認証情報（例えば、ＩＣカードなどのカード番号）とユーザ情報（例えば、ユーザ名）とを対応付けて登録させることで管理者の負担を軽減することができる。